(57)【要約】【課題】  鉱油を安定に水中に分散し、長期に亘り保管および使用することが可能なＯ／Ｗ型エマルションの乳化系潤滑油組成物、およびそれを製造できるＯ／Ｗ型エマルションの乳化用原液を提供する。【解決手段】  塩基価が０．０１〜０．６０ｍｇＫＯＨ／ｇのスルホネート化合物を含んでいることを特徴とするＯ／Ｗ型エマルションの乳化用原液、及び、そのＯ／Ｗ型エマルションの乳化用原液を水に混合していることを特徴とするＯ／Ｗ型エマルションの乳化系潤滑油組成物。【選択図】  なし【特許請求の範囲】
【請求項１】
塩基価が０．０１〜０．６０ｍｇＫＯＨ／ｇのスルホネート化合物を含んでいることを特徴とするＯ／Ｗ型エマルションの乳化用原液。
【請求項２】
塩基価が０．０１〜０．６０ｍｇＫＯＨ／ｇのスルホネート化合物を５〜５０質量％含んでいる請求項１に記載のＯ／Ｗ型エマルションの乳化用原液。
【請求項３】
スルホネート化合物がナトリウムスルホネートである請求項１又は２に記載のＯ／Ｗ型エマルションの乳化用原液。
【請求項４】
請求項１〜３のいずれかに記載のＯ／Ｗ型エマルションの乳化用原液を水に混合していることを特徴とするＯ／Ｗ型エマルションの乳化系潤滑油組成物。
【請求項５】
０．０１〜０．６０ｍｇＫＯＨ／ｇのスルホネート化合物を０．１〜１０質量％含んでいる請求項４に記載のＯ／Ｗ型エマルションの乳化系潤滑油組成物。
【請求項６】
組成物中の水の含有量が８０〜９９質量％である請求項４又は５に記載のＯ／Ｗ型エマルションの乳化系潤滑油組成物。
【発明の詳細な説明】
【技術分野】
【０００１】
本発明は、乳化安定性に優れたＯ／Ｗ型エマルションの乳化系潤滑油組成物、及びそれを製造することができるＯ／Ｗ型エマルションの乳化用原液に関する。
【背景技術】
【０００２】
高温の熱源付近や電気スパークが生じる機器の近くなどでは、防災への配慮から、乳化系や可溶化系などの含水系潤滑油を始めとした各種の難燃性潤滑油が用いられている。さらに、難燃性の特徴に加えて、油剤使用量低減の観点から、乳化用原液を水で５質量倍から５０質量倍程度に希釈して使用できるＯ／Ｗ型エマルションが水溶性切削油や作動油として広く使用されている。
【０００３】
乳化系の含水系潤滑油は、乳化安定剤を使用することにより、鉱油を水中に分散させたり、水を鉱油中に分散させることにより調整されるが、乳化系潤滑油には、形成されたミセルの構造が安定で、製品として出荷されてから輸送、保管、実際に使用されるまでの間、形成した乳化系を保つ性能が望まれる。
【０００４】
これまで、Ｏ／Ｗ型エマルションを調整するために、さまざまな乳化安定剤が検討されてきた（例えば、特許文献１参照。）。しかし、これらの技術をもってしても、完全に使用者の要求を満たす安定性を持ったＯ／Ｗ型エマルションを形成するまでには至っていない。
【０００５】
スルホネート系の乳化安定剤は、形成された乳化系の安定性や他の添加剤との相溶性が良好なことから、従来から広く用いられ、検討されてきた。スルホネート系乳化安定剤を用いた乳化系潤滑油の安定性向上技術として、例えば、水を鉱油中に分散させるＷ／Ｏ型エマルションの安定性向上技術が知られている（特許文献２参照。）。しかし、これは水を鉱油中に分散させるＷ／Ｏ型エマルションの安定性向上技術であり、Ｏ／Ｗ型エマルションへの効果は期待できない。
【０００６】
【特許文献１】特開平３−３１３９５号公報
【特許文献２】特開２００４−２１７７０２号公報
【発明の開示】
【発明が解決しようとする課題】
【０００７】
本発明は、上記従来技術の状況に鑑みてなされたものであり、特定のスルホネート系乳化安定剤を使用することにより、鉱油を安定に水中に分散し、長期に亘り保管および使用することが可能なＯ／Ｗ型エマルションの乳化系潤滑油組成物、およびそれを製造できるＯ／Ｗ型エマルションの乳化用原液を提供する。
【課題を解決するための手段】
【０００８】
本発明者は、上記課題を解決するために鋭意研究を行った結果、特定のスルホネート化合物を乳化安定剤として使用することによりＯ／Ｗ型エマルションの乳化系潤滑油組成物の安定性が向上することを見出し、本発明のＯ／Ｗ型エマルションの乳化用原液およびＯ／Ｗ型エマルションの乳化系潤滑油組成物を完成するに至った。
すなわち、本発明は、塩基価が０．０１〜０．６０ｍｇＫＯＨ／ｇのスルホネート化合物を含んでいることを特徴とするＯ／Ｗ型エマルションの乳化用原液を提供するものである。
【０００９】
また、本発明は、上記Ｏ／Ｗ型エマルションの乳化用原液において、塩基価が０．０１〜０．６０ｍｇＫＯＨ／ｇのスルホネート化合物を５〜５０質量％含んでいるＯ／Ｗ型エマルションの乳化用原液を提供するものである。
また、本発明は、上記Ｏ／Ｗ型エマルションの乳化用原液において、スルホネート化合物がナトリウムスルホネートであるＯ／Ｗ型エマルションの乳化用原液を提供するものである。
また、本発明は、上記Ｏ／Ｗ型エマルションの乳化用原液を水に混合していることを特徴とするＯ／Ｗ型エマルションの乳化系潤滑油組成物を提供するものである。
【００１０】
また、本発明は、上記Ｏ／Ｗ型エマルションの乳化系潤滑油組成物において、０．０１〜０．６０ｍｇＫＯＨ／ｇのスルホネート化合物を０．１〜１０質量％含んでいるＯ／Ｗ型エマルションの乳化系潤滑油組成物を提供するものである。
また、本発明は、上記Ｏ／Ｗ型エマルションの乳化系潤滑油組成物において、組成物中の水の含有量が８０〜９９質量％であるＯ／Ｗ型エマルションの乳化系潤滑油組成物を提供するものである。
【発明の効果】
【００１１】
本発明のＯ／Ｗ型エマルションの乳化系潤滑油組成物は、形成した乳化系を安定に保ち、貯蔵および使用において性能を長期に渡り維持することができる。本発明のＯ／Ｗ型エマルションの乳化用原液は、そのＯ／Ｗ型エマルションの乳化系潤滑油組成物を製造することができる。
【発明を実施するための最良の形態】
【００１２】
本発明のＯ／Ｗ型エマルションの乳化用原液は、塩基価が０．０１〜０．６０ｍｇＫＯＨ／ｇのスルホネート化合物を含んでいる。塩基価はＪＩＳ  Ｋ２５０１−２００３に規定された塩酸法（電位差滴定法）により測定することができる。スルホネート化合物の塩基価の範囲は０．０１〜０．６０ｍｇＫＯＨ／ｇであればよいが、好ましい範囲としては０．０１〜０．３０ｍｇＫＯＨ／ｇである。０．６０ｍｇＫＯＨ／ｇを超える塩基価のスルホネート化合物では、Ｏ／Ｗ型エマルションの安定性が低く、相の分離が生じてしまう。
なお、Ｏ／Ｗ型エマルションの乳化用原液は、水と混合してそのＯ／Ｗ型エマルションの乳化系潤滑油組成物を製造する際に、前記スルホネート化合物が均一に分散されており、相の分離が生じていないことが好ましい。相の分離を生じているＯ／Ｗ型エマルションの乳化用原液を用いると、乳化安定性の優れたＯ／Ｗ型エマルションの乳化系潤滑油組成物を製造することができないことがある。
【００１３】
乳化用原液において、塩基価が０．０１〜０．６０ｍｇＫＯＨ／ｇのスルホネート化合物の配合量は５〜５０質量％が好ましく、１０〜３０質量％が特に好ましい。配合量が５質量％未満、又は５０質量％を超える場合、乳化したときの安定性が低くいる場合があり、好ましくない。
【００１４】
乳化安定剤として使用するスルホネート化合物としては、例えば、アルカリ金属スルホネート化合物、アルカリ土類金属スルホネート化合物などが挙げられる。アルカリ金属及びアルカリ土類金属の具体例としては、ナトリウム、カルシウム、マグネシウム、バリウム、リチウム、カリウムなどが挙げられるが、ナトリウム、カルシウムが好ましく、ナトリウムが特に好ましい。
【００１５】
スルホネート化合物の構造は、スルホン酸類の金属塩であればよく、塩基価が０．０１〜０．６ｍｇＫＯＨ／ｇの範囲にあること以外、特に限定されない。スルホン酸類としては、アルキルベンゼンスルホン酸またはアルキルナフタレンスルホン酸が好ましい。代表的なアルキルベンゼンスルホン酸またはアルキルナフタレンスルホン酸の一般式を式（１）および式（２）に示す。
【００１６】
【化１】
2009292956.tif 000002
【００１７】
【化２】
2009292956.tif 000003
【００１８】
式中、Ｒ１及びＲ２は、炭素数１〜３０のアルキル基であり、炭素数１〜３０の単一のアルキル基であることが好ましい。ｎは１〜４の整数であり、ｋ及びｍは、Ｍの原子価と同じ整数であり、１〜２の整数である。Ｍは、アルカリ金属またはアルカリ土類金属である。
Ｒ１及びＲ２は、好ましくは炭素数６〜１２のアルキル基であり、より好ましくは炭素数６〜９のアルキル基であり、さらに好ましくは炭素数８〜９のアルキル基であり、特に好ましくは炭素数９のアルキル基である。なお、アルキル基の構造は、直鎖アルキル基が好ましい。ｎは１〜４の整数であるが、好ましくは１〜３の整数である。
【００１９】
塩基価が０．０１〜０．６０ｍｇＫＯＨ／ｇのスルホネート化合物は、ベンゼン、ナフタレン、アルキルベンゼンまたはアルキルナフタレンを触媒の存在下で適切なアルキル化剤でアルキル化したアルキル芳香族化合物をＳＯ３ガスによりスルホン化したのち金属塩に変換して製造される。そのアルキル芳香族化合物の商業的製造方法の一例としては、米国特許第２，７６４，５４８号明細書に詳細に記載されている。
【００２０】
本発明のＯ／Ｗ型エマルションの乳化用原液には、必須成分である前記スルホネート化合物と共に、鉱油または合成油から選ばれる基油を含有することが好ましい。
鉱油としては、例えば原油の潤滑油留分を溶剤精製、水素化精製など適宜組み合わせて精製したものが挙げられる。合成油としては、ポリアルファオレフィン（ＰＡＯ）などが挙げられる。
基油は１種単独であるいは２種以上を混合して使用することが可能である．
基油の含有量は、４５〜９５質量％が好ましく、６０〜９０質量％がより好ましい。
【００２１】
また、本発明のＯ／Ｗ型エマルションの乳化用原液には、界面活性剤を含有させることが好ましい。
界面活性剤としては、カチオン系界面活性剤、アニオン系界面活性剤、非イオン系界面活性剤などが挙げられるが、非イオン界面活性剤が好ましい。非イオン系界面活性剤としては、ソルビタンモノラウレート、ソルビタンモノオレート、ソルビタンセスキオレート、ソルビタントリオレート、ソルビタンモノパルミテート、ソルビタンモノステアレート、ソルビタンモノベヘネート、ソルビタンモノカプリレートなどのソルビタンエステル類、ポリオキシアルキレンオレイルエーテル、ポリオキシアルキレンラウリルエーテル、ポリオキシアルキレンパルミチルエーテル、ポリオキシアルキレンステアリルエーテルなどのポリオキシアルキレン脂肪酸エーテル類、ポリオキシアルキレンオレート、ポリオキシアルキレンラウレート、ポリオキシアルキレンパルミテート、ポリオキシアルキレンステアレートなどのポリオキシアルキレン脂肪酸エステル類、ポリオキシアルキレン・ブロックポリマーなどが挙げられ、従来公知の非イオン系界面活性剤を任意に使用することが可能である。また、ここで、ポリオキシアルキレンの種類としては、ポリオキシエチレンおよびポリオキシプロピレンが好ましい。
界面活性剤の含有量は、特に制限ないが、通常、乳化用原液１００質量部に対して０．０１〜５質量部が好ましく、０．１〜３質量部がより好ましい。
【００２２】
また、本発明のＯ／Ｗ型エマルションの乳化用原液には、必要とする性能に合わせて油性剤、アルカリ調整剤、金属不活性化剤、気相防錆剤、殺菌剤、消泡剤などから選ばれる、各種公知の添加剤を適宜配合することができる。
本発明のＯ／Ｗ型エマルションの乳化用原液は、前記スルホネート化合物を基油に混合することにより製造することができ、好ましくは前記スルホネート化合物を界面活性剤と共に基油に混合することにより製造することである。
【００２３】
本発明のＯ／Ｗ型エマルションの乳化系潤滑油組成物は、上記に記載した乳化用原液と水分を混合することにより製造することができる。混合の方法は特に限定されず、乳化用原液に水分を加えればよいが、高速回転式ホモジナイザーなどで攪拌混合してもよい。
また、Ｏ／Ｗ型エマルションの乳化系潤滑油組成物は、０．０１〜０．６０ｍｇＫＯＨ／ｇのスルホネート化合物が０．１〜１０質量％含有されていることが好ましく、０．２〜２．０質量％含有されていることが特に好ましい。配合量が０．１質量％未満、又は１０質量％を超えた場合、組成物の安定性が低くなる場合があり好ましくない。  
また、Ｏ／Ｗ型エマルションの乳化系潤滑油組成物は、水の含有量が８０〜９９質量％であることが好ましく、８０〜９８質量％であることが特に好ましい。
【実施例】
【００２４】
以下に、実施例及び比較例により、本発明のＯ／Ｗ型エマルションの乳化用原液、及びＯ／Ｗ型エマルションの乳化系潤滑油組成物をより詳細に説明する。なお、本発明は、これらの例によって何ら制限されるものではない。
【００２５】
実施例および比較例に用いた基材は以下のとおりである。
ＮａスルホネートＡ：アルキルベンゼンスルホン酸のナトリウム塩  ＴＢＮ  ０．０５ｍｇＫＯＨ／ｇ
ＮａスルホネートＢ：アルキルベンゼンスルホン酸のナトリウム塩  ＴＢＮ  ０．１５ｍｇＫＯＨ／ｇ
ＮａスルホネートＣ：アルキルベンゼンスルホン酸のナトリウム塩  ＴＢＮ  ０．５０ｍｇＫＯＨ／ｇ
ＮａスルホネートＤ：アルキルベンゼンスルホン酸のナトリウム塩  ＴＢＮ  １．００ｍｇＫＯＨ／ｇ
【００２６】
鉱油：原油の常圧蒸留により得られた潤滑油留分を、溶剤精製および水素化精製することにより得たもので、４０℃動粘度は９．７０（ｍｍ２／ｓｅｃ）、粘度指数８５である。
界面活性剤：非イオン系界面活性剤（ポリオキシエチレンモノステアレート）
アルカリ剤：ジエタノールアミン（ＤＥＡ）を使用した。
その他基材として、殺菌剤、金属不活性化剤、及び消泡剤を添加した。
【００２７】
（実施例１〜３及び比較例１〜２）
表１に示された各基材を、表１に示された所定の割合で混合して、Ｏ／Ｗ型エマルションの乳化用原液を調製した。
次に、得られたＯ／Ｗ型エマルションの乳化用原液を純水でそれぞれ２５質量倍および５０質量倍に希釈して、希釈倍率の異なるＯ／Ｗ型エマルションの乳化系潤滑油組成物を得た。得られたＯ／Ｗ型エマルションの乳化系潤滑油組成物について、静置した状態で各温度条件の下、液の分離を４週間観察した。結果を表１に示す。
【００２８】
【表１】
2009292956.tif 000004
【産業上の利用可能性】
【００２９】
本発明のＯ／Ｗ型エマルションの乳化系潤滑油組成物は、作動油、圧延油、鍛造油、引抜き油、切削油など、各種の工業用潤滑油用途として使用が可能であり、乳化系潤滑油組成物の分野において、極めて有用である。